(57)【特許請求の範囲】
【請求項１】
固定接点部を有し、操作部材及び可動接点部材を収容する空間部を備えるケースと、
前記空間部を覆うカバー部材と、
を備えたプッシュスイッチにおいて、
前記固定接点部は前記空間部の一面である最奥面に露出して形成されており、
前記ケースは前記最奥面の後方側に突出するように形成された本体部を有し、
前記本体部には、後方側の端部から前方へ向かって一部切り欠かれた切り欠き部を有し、
前記固定接点部は、前記可動接点部材と接離する第１固定接点部と、前記可動接点部材と常時接触する第２固定接点部と、からなり、
前記第１固定接点部は、前記可動接点部材と接触する中央接触部と、前記中央接触部に連続して前記最奥面から露出するとともに、前記中央接触部の周囲へ延出された延出部と、を有し、
前記中央接触部は、前記最奥面の前記本体部に対応した箇所に配置されており、
前記第２固定接点部の前記可動接点部材と接触する周辺接触部は、前記最奥面の前記切り欠き部に対応した箇所に配置されており、
前記最奥面は、前記第１固定接点部を挟んで前記第２固定接点部に対向する位置となる部分に前記周辺接触部と同じ高さに突出した突部を有する、
ことを特徴とするプッシュスイッチ。
【請求項２】
金属板からなり一部が前記ケースから露出して設けられた回路部材は、一端に前記固定接点部を有するとともに、他端には、前記ケースの後方側から露出して外部と電気的に接続可能な外部接続端子を有し、
前記回路部材の前記固定接点部と前記外部接続端子との間には、上方からの平面視で、前記回路部材が延出する方向に対して交差する方向へ延出する許容部が形成され、
前記許容部の幅寸法は、前記許容部を間に挟んだ箇所の幅寸法よりも小さい、
ことを特徴とする請求項１に記載のプッシュスイッチ。
【発明の詳細な説明】
【技術分野】
【０００１】
本発明は、プッシュスイッチに関し、特に、押圧操作方向に固定接点部が配置されたプッシュスイッチに関するものである。
【背景技術】
【０００２】
携帯機器の操作部としてプッシュスイッチが用いられることがある。このように携帯機器の操作部として用いられるプッシュスイッチとしては、下記の特許文献１に記載のプッシュスイッチが知られている。
【０００３】
以下、図１９を用いて、特許文献１に記載のプッシュスイッチについて説明する。図１９は特許文献１に記載のプッシュスイッチ９００の構造を示す断面図である。
【０００４】
特許文献１に記載のプッシュスイッチ９００は、図１９に示すように、本体となるケース９３０を側面視すると、略Ｌ字形状に形成されている。ケース９３０の上記Ｌ字の一方側には、スイッチ接点部を内蔵して下方に伸びる前方部位９６０が形成され、上記Ｌ字の他方側には、前方部位９６０と一体化された後方部位９６５が形成されている。プッシュスイッチ９００は、配線基板９７０上に配されて端子９５３および端子９５６が半田付けされて実装され、配線基板９７０に対し水平方向に前方部位９６０への押圧操作を行って動作するプッシュスイッチである。なお、スイッチ接点部は、水平方向に離間して配置された可動接点９４５と中央接点９４１とを有し、押圧部材９４８を介して可動接点９４５を押圧することで、可動接点９４５を撓ませて中央接点９４１に接触させることができる。このように、可動接点９４５と中央接点９４１とを接離させることでスイッチとして機能する。
【先行技術文献】
【特許文献】
【０００５】
【特許文献１】特開２０１３−１４９３５１号公報
【発明の概要】
【発明が解決しようとする課題】
【０００６】
しかしながら、プッシュスイッチ９００においては、Ｌ字形状の屈曲している箇所に可動接点９４５および中央接点９４１が配置されており、中央接点９４１を挟んで可動接点９４５に対向する側には、ケース９３０の肉厚が薄い部分がある。そのため、強い押し込み荷重で操作されたときに、可動接点９４５が、中央接点９４１の、ケースの肉厚が薄い部分に対応した箇所を押圧すると、中央接点９４１が撓んでしまい、可動接点９４５と中央接点９４１との接触に不具合が発生する恐れがある。
【０００７】
本発明は、上述した課題を解決して、押し込み耐性の高いプッシュスイッチを提供するものである。
【課題を解決するための手段】
【０００８】
請求項１に記載のプッシュスイッチにおいては、固定接点部材を有し、操作部材及び可動接点部材を収容する空間部を備えるケースと、前記空間部を覆うカバー部材と、を備えたプッシュスイッチにおいて、前記固定接点部材は前記空間部の一面である最奥面に露出して形成されており、前記ケースは前記最奥面の後方側に突出するように形成された本体部を有し、前記本体部には、後方側の端部から前方へ向かって一部切り欠かれた切り欠き部を有し、前記固定接点部材は、前記可動接点部材と接離する中央接点部と、前記可動接点部材と常時接触する周辺接点部と、からなり、前記中央接点部は、前記可動接点部材と接触する中央接触部と、前記中央接触部に連続して前記最奥面から露出するとともに、前記中央接触部の周囲へ延出された延出部と、を有し、前記中央接触部は、前記最奥面の前記本体部に対応した箇所に配置されており、前記第２固定接点部の前記可動接点部材と接触する周辺接触部は、前記最奥面の前記切り欠き部に対応した箇所に配置されており、前記最奥面は、前記第１固定接点部を挟んで前記第２固定接点部に対向する位置となる部分に前記周辺接触部と同じ高さに突出した突部を有する、という特徴を有する。
【００１０】
請求項２に記載のプッシュスイッチにおいては、金属板からなり一部が前記ケースから露出して設けられた回路部材は、一端に前記固定接点部を有するとともに、他端には、前記ケースの後方側から露出して外部と電気的に接続可能な外部接続部を有し、前記回路部材の前記固定接点部と前記外部接続部との間には、上方からの平面視で、前記回路部材が延出する方向に対して交差する方向へ延出する許容部が形成され、前記許容部の幅寸法は、前記許容部を間に挟んだ箇所の幅寸法よりも小さい、という特徴を有する。
【発明の効果】
【００１１】
請求項１の発明によれば、最奥面の後方側で厚みのある本体部に対応した箇所に中央接触部を配置するとともに、中央接触部の周囲に延出する延出部を設けることで、押し込み操作されたときに、ケースに厚みのある部分で受け止めるとともに、受け止める面積を広げることができる。したがって、単位面積当たりで受け止める荷重を小さくするとともに、荷重に対して強い部分で受けることができる。よって、押し込み耐性の高いプッシュスイッチを提供することができる、という効果を奏する。
【００１２】
また、請求項１の発明によれば、周辺接触部を切り欠き部に対応した箇所に配置することで、本体部に対応した箇所を、押し込み操作時に最も負荷がかかる中央接触部および延出部に、より大きな面積を確実に割り当てることが可能となる。したがって、より押し込み耐性の高いプッシュスイッチを提供することができる、という効果を奏する。
【００１３】
請求項２の発明によれば、例えば、電子機器に搭載された状態で押し込み操作をされたとき、外部接続部は電子機器に半田付けなどにより固定されているため、押し込み荷重は外部接続部に加わることになる。外部接続部と固定接点部との間に、前後の箇所より幅寸法が小さい許容部を設けることで、押し込み操作をされたときに、押し込みされた方向へ微少量ではあるが許容部が撓むことで、外部接続部にかかる負荷を吸収し軽減することができる。したがって、押し込み操作により半田付けされた外部接続部が外れるような不具合が発生し難くなる。よって、さらに押し込み耐性の高いプッシュスイッチを提供することができる、という効果を奏する。
【００１４】
以上より、本発明によれば、押し込み耐性の高いプッシュスイッチを提供することができる。
【図面の簡単な説明】
【００１５】
【図１】第１実施形態におけるプッシュスイッチ１００の構成を示す分解斜視図である。
【図２】第１実施形態におけるプッシュスイッチ１００の外観を示す図であり、図２（ａ）はプッシュスイッチ１００の外観を示す斜視図であり、図２（ｂ）は図２（ａ）におけるＺ２方向から見た状態のプッシュスイッチ１００を示す平面図である。
【図３】第１実施形態におけるプッシュスイッチ１００を基板にマウントした状態の例を示す図であり、図３（ａ）はプッシュスイッチ１００の基板へのマウント例を図２に示すＺ１方向側から見た状態を示す平面図であり、図３（ｂ）は図３（ａ）に示すＹ２方向側からプッシュスイッチ１００の基板へのマウント例を見た状態を示す側面図である。なお、図３（ｂ）においては、説明を容易にするために、基板ＣＢ１は断面で示している。
【図４】第１実施形態におけるケース３の外観を示す図であり、図４（ａ）はケース３の外観を示す斜視図であり、図４（ｂ）は図４（ａ）に示すＹ２方向側から見た状態のケース３を示す側面図である。
【図５】第１実施形態におけるケース３を第２ケース部材４と第１ケース部材５とに分解した状態を示す分解斜視図である。
【図６】第１実施形態における第２ケース部材４の外観を示す図であり、図６（ａ）は図５に示すＸ１方向側から見た状態の第２ケース部材４を示す正面図であり、図６（ｂ）は図５に示すＹ２方向側から見た状態の第２ケース部材４を示す側面図である。
【図７】第１実施形態における回路部材３０の形状を示す図であり、図７（ａ）は回路部材３０の形状を示す斜視図であり、図７（ｂ）は図７（ａ）に示すＺ１方向側から見た状態の回路部材３０を示す平面図である。
【図８】第１実施形態における第１ケース部材５の形状を示す図であり、図８（ａ）は図５に示すＸ２方向側から見た状態の第２ケース部材４を示す斜視図であり、図８（ｂ）は図５に示すＸ２方向側から見た状態の第２ケース部材４を示す背面図である。
【図９】図４に記載の断面線Ｂ−Ｂで切断した断面を示す断面図である。
【図１０】第１実施形態における可動接点部材２の外観を示す図であり、図１０（ａ）は可動接点部材２の外観を示す斜視図であり、図１０（ｂ）は図１０（ａ）に示すＺ２方向側から見た状態の可動接点部材２を示す側面図である。
【図１１】第１実施形態における操作部材１の外観を示す図であり、図１１（ａ）は操作部材１の外観を示す斜視図であり、図１１（ｂ）は図１１（ａ）に示すＸ２方向側から見た状態の操作部材１を示す斜視図であり、図１１（ｃ）は図１１（ａ）に示すＸ１方向側から見た状態の操作部材１を示す正面図である。
【図１２】第１実施形態におけるカバー部材６の外観を示す図であり、図１２（ａ）はカバー部材６の外観を示す斜視図であり、図１２（ｂ）はカバー部材６を前方カバー部材７と後方カバー部材８とに分解した状態を示す分解斜視図である。
【図１３】第１実施形態における前方カバー部材７の外観を示す図であり、図１３（ａ）は前方カバー部材７の外観を示す斜視図であり、図１３（ｂ）は図１３（ａ）に示すＤ部を図１３（ａ）に示すＸ１方向側から見た状態を拡大して示す拡大図である。
【図１４】第１実施形態における後方カバー部材８の外観を示す図であり、図１４（ａ）は後方カバー部材８の外観を示す斜視図であり、図１４（ｂ）は図１４（ａ）に示すＸ２方向側から見た状態の後方カバー部材８を示す斜視図である。なお、腕部８ｂの先端部８ｃは内方側へ折り曲げられた状態で図示されているが、前方カバー部材７との一体化前には腕部８ｂの突出する方向へ延びるように形成されている。
【図１５】図４（ｂ）に記載の断面線Ｃ−Ｃで切断した断面を示す模式断面図である。なお、説明を容易にするため、第２固定接点部４ｇの位置は実際の位置とは異なる。
【図１６】図１５に示す状態から押圧操作された後の状態を示す模式断面図である。
【図１７】第１実施形態におけるプッシュスイッチ１００がオーバーストロークになった状態を示す模式断面図である。
【図１８】図２に記載のＡ部を拡大して示す拡大図である。
【図１９】特許文献１に記載のプッシュスイッチ９００の構造を示す断面図である。
【発明を実施するための形態】
【００１６】
［第１実施形態］
以下に第１実施形態におけるプッシュスイッチ１００について説明する。
【００１７】
まず始めに第１実施形態におけるプッシュスイッチ１００の構成について図１ないし図１４を用いて説明する。図１は第１実施形態におけるプッシュスイッチ１００の構成を示す分解斜視図である。図２は第１実施形態におけるプッシュスイッチ１００の外観を示す図であり、図２（ａ）はプッシュスイッチ１００の外観を示す斜視図であり、図２（ｂ）は図２（ａ）におけるＺ２方向から見た状態のプッシュスイッチ１００を示す平面図である。図３は第１実施形態におけるプッシュスイッチ１００を基板にマウントした状態の例を示す図であり、図３（ａ）はプッシュスイッチ１００の基板へのマウント例を図２に示すＺ１方向側から見た状態を示す平面図であり、図３（ｂ）は図３（ａ）に示すＹ２方向側からプッシュスイッチ１００の基板へのマウント例を見た状態を示す側面図である。なお、図３（ｂ）においては、説明を容易にするために、基板ＣＢ１は断面で示している。図４は第１実施形態におけるケース３の外観を示す図であり、図４（ａ）はケース３の外観を示す斜視図であり、図４（ｂ）は図４（ａ）に示すＹ２方向側から見た状態のケース３を示す側面図である。図５は第１実施形態におけるケース３を第２ケース部材４と第１ケース部材５とに分解した状態を示す分解斜視図である。図６は第１実施形態における第２ケース部材４の外観を示す図であり、図６（ａ）は図５に示すＸ１方向側から見た状態の第２ケース部材４を示す正面図であり、図６（ｂ）は図５に示すＹ２方向側から見た状態の第２ケース部材４を示す側面図である。図７は第１実施形態における回路部材３０の形状を示す図であり、図７（ａ）は回路部材３０の形状を示す斜視図であり、図７（ｂ）は図７（ａ）に示すＺ１方向側から見た状態の回路部材３０を示す平面図である。図８は第１実施形態における第１ケース部材５の形状を示す図であり、図８（ａ）は図５に示すＸ２方向側から見た状態の第２ケース部材４を示す斜視図であり、図８（ｂ）は図５に示すＸ２方向側から見た状態の第２ケース部材４を示す背面図である。図９は図４に記載の断面線Ｂ−Ｂで切断した断面を示す断面図である。図１０は第１実施形態における可動接点部材２の外観を示す図であり、図１０（ａ）は可動接点部材２の外観を示す斜視図であり、図１０（ｂ）は図１０（ａ）に示すＺ２方向側から見た状態の可動接点部材２を示す側面図である。図１１は第１実施形態における操作部材１の外観を示す図であり、図１１（ａ）は操作部材１の外観を示す斜視図であり、図１１（ｂ）は図１１（ａ）に示すＸ２方向側から見た状態の操作部材１を示す斜視図であり、図１１（ｃ）は図１１（ａ）に示すＸ１方向側から見た状態の操作部材１を示す正面図である。図１２は第１実施形態におけるカバー部材６の外観を示す図であり、図１２（ａ）はカバー部材６の外観を示す斜視図であり、図１２（ｂ）はカバー部材６を前方カバー部材７と後方カバー部材８とに分解した状態を示す分解斜視図である。図１３は第１実施形態における前方カバー部材７の外観を示す図であり、図１３（ａ）は前方カバー部材７の外観を示す斜視図であり、図１３（ｂ）は図１３（ａ）に示すＤ部を図１３（ａ）に示すＸ１方向側から見た状態を拡大して示す拡大図である。図１４は第１実施形態における後方カバー部材８の外観を示す図であり、図１４（ａ）は後方カバー部材８の外観を示す斜視図であり、図１４（ｂ）は図１４（ａ）に示すＸ２方向側から見た状態の後方カバー部材８を示す斜視図である。なお、腕部８ｂの先端部８ｃは内方側へ折り曲げられた状態で図示されているが、前方カバー部材７との一体化前には腕部８ｂの突出する方向へ延びるように形成されている。
【００１８】
プッシュスイッチ１００は、図１に示すように、操作部材１と、可動接点部材２と、固定接点部４ａを有し第２ケース部材４と第１ケース部材５とからなるケース３と、前方カバー部材７と後方カバー部材８とからなるカバー部材６と、シート部材９とを備え、図２および図３に示すように、前方カバー部材７から突出した操作部材１を押圧操作することで、可動接点部材２と固定接点部４ａとの電気的な導通状態を切り替えることが可能となる。
【００１９】
ケース３は合成樹脂材からなり、図４に示すように、直方体状に形成されている。ケース３は、中空に形成されるとともに、固定接点部４ａを有する空間部３ａを内部に備えている。空間部３ａは前方側（Ｘ１方向側）が開放された開口部５ｅを備えている。ケース３は開口部５ｅが設けられた側の反対側に突出するように形成された本体部４ｋを有し、本体部４ｋには、後方側の端部から前方へ向かって一部切り欠かれた切り欠き部４ｍを有している。なお、第１実施形態においては、ケース３は図５に示すように、第２ケース部材４と第１ケース部材５との２つの部品からなる。
【００２０】
第２ケース部材４は合成樹脂材からなり、図６に示すような、直方体状に形成され、本体部４ｋを形成している。本体部４ｋの一方側（Ｘ２方向側）の下方側（Ｚ２方向側）には、一部切り欠かれた切り欠き部４ｍが形成されている。また、第２ケース部材４には、金属板からなる回路部材３０がインサート成型されており、一部が第２ケース部材４から露出して設けられている。第２ケース部材４は、空間部３ａの一部である第２空間部４ｂを備えている。第２空間部４ｂは他方側（Ｘ１方向側）に開口した第２開口４ｃを有するとともに、第２開口４ｃのある第２対向面４ｄを有している。なお、第２対向面４ｄは平坦な面状に形成されている。また、第２開口４ｃの外形形状は、長手辺が直線形状で、短手辺が円弧形状の長方形状に形成されている。また、第２空間部４ｂの第２開口４ｃに対向する側（Ｘ２方向側）の一面である最奥面４ｅには、金属板からなる固定接点部４ａが形成されている。固定接点部４ａは、最奥面４ｅの中央部分に形成される第１固定接点部４ｆと、最奥面４ｅにおいて第２空間部４ｂの長手側の壁の近くに形成される第２固定接点部４ｇと、からなる。なお、第１実施形態においては、第２固定接点部４ｇはＺ２方向側の長手側の壁の近くに露出して形成されている。第１固定接点部４ｆおよび第２固定接点部４ｇは、第２開口４ｃがある方向へ突出するとともに、突出方向の先端が平坦な面に形成された接触部４ｈを有している。第１固定接点部４ｆは、接触部４ｈのひとつである中央接触部４ｎと、中央接触部４ｎに連続して最奥面４ｅから露出するとともに、中央接触部４ｎの周囲へ延出された延出部４ｐと、を有し、第２固定接点部４ｇは、接触部４ｈのひとつである周辺接触部４ｑを、中央接触部４ｎの両側となる位置に１つずつ有している。なお、本体部４ｋは、最奥面４ｅの後方側に突出するように形成されており、中央接触部４ｎは、最奥面４ｅの本体部４ｋに対応した箇所に配置されているとともに、周辺接触部４ｑは、最奥面４ｅの切り欠き部４ｍに対応した箇所に配置されている。また、最奥面４ｅの第１固定接点部４ｆを挟んで第２固定接点部４ｇに対向する位置となる部分は、周辺接触部４ｑと同じ高さとなるように突出している。また、第２ケース部材４は、ケース３の後方側（Ｘ２方向側）である本体部４ｋの後方側の端部に、金属材からなり本体部４ｋから露出した２つの外部接続端子４ｒを有している。なお、第１固定接点部４ｆおよび第２固定接点部４ｇから固定接点部４ａと、外部接続端子４ｒと、は、第２ケース部材４にインサート成型された回路部材３０の一部が露出したものである。回路部材３０は、図７に示すように、２つの金属板を板金加工して形成されている。回路部材３０は、一端に固定接点部４ａを有するとともに、他端には外部接続端子４ｒを有している。すなわち、回路部材３０は、一端に第１固定接点部４ｆを有するとともに、他端に一方の外部接続端子４ｒを有するものと、一端に第２固定接点部４ｇを有するとともに、他端に他方の外部接続端子４ｒを有するものと、の２つからなり、第１固定接点部４ｆと第２固定接点部４ｇとは、電気的に絶縁されている。また、回路部材３０の固定接点部４ａと外部接続端子４ｒとの間には、上方（Ｚ１方向）からの平面視で、回路部材３０が延出する方向（Ｘ１−Ｘ２方向）に対して交差する方向へ延出する許容部４ｓが形成されている。許容部４ｓの幅寸法（ｗ１）は、回路部材３０の許容部４ｓを間に挟んだ箇所の幅寸法（ｗ２およびｗ３）よりも小さい。
【００２１】
第１ケース部材５は合成樹脂材からなり、図８に示すように、直方体状に形成されており、内部には空間部３ａの一部である第１空間部５ａを備えている。また、第１ケース部材５は、一方側（Ｘ２方向側）に第１空間部５ａが開口した第１開口５ｂのある第１対向面５ｃを有し、他方側（Ｘ１方向側）には第１空間部５ａに貫通するとともに、長方形状の開口形状に形成された開口部５ｅを有する。なお、第１対向面５ｃは平坦な面状に形成されている。また、第１開口５ｂの外形形状は長方形状に形成され、長方形の四隅の部分には、上下方向（Ｚ１−Ｚ２方向）へ突出するように突出形状部５ｄを有している。
【００２２】
このように形成された第２ケース部材４と第１ケース部材５とは、第２対向面４ｄと第１対向面５ｃとを対向させて係合され、図４に示すように、ケース３を形成する。また、第２ケース部材４と第１ケース部材５とが係合することで、第２空間部４ｂと第１空間部５ａとが連結され、空間部３ａが形成される。なお、第２空間部４ｂと第１空間部５ａとが連結され、第１開口５ｂの外形形状を第２開口４ｃの外形形状に重ねたとき、図９に示すように、第１開口５ｂの外形形状は第２開口４ｃの外形形状から突出形状部５ｄがはみ出している。すなわち、第１開口５ｂの一部と第２対向面４ｄの一部とが対向するように配置されている。
【００２３】
可動接点部材２は、ばね性を有する金属薄板からなり、図１０に示すように、平面視で長方形状に形成されている。可動接点部材２は、アーチ状に湾曲し、押圧操作により反転動作可能な可動接点部２ａを有している。また、可動接点部２ａの両側（Ｚ１方向側とＺ２方向側）には、スリット２ｂを介して、載置された面に常時接触するための常接接点部２ｃが配置されている。また、可動接点部材２は、可動接点部２ａと常接接点部２ｃとの両端を一体に連結する連結部２ｄを備えている。このように形成された可動接点部材２は、ばね性を有し、可動接点部２ａをアーチ形状の頂部２ｅ側から押圧されると、押圧された方向へ撓み、押圧を解除されると押圧前の状態に戻る。また、可動接点部２ａ、常接接点部２ｃおよび連結部２ｄにより形成される可動接点部材２は、頂部２ｅ側から平面視したときに、外形形状が第２ケース部材４の第２開口４ｃの外形形状に沿うように形成されている。なお、第１実施形態においては、１枚の可動接点部材２を用いている。
【００２４】
操作部材１は合成樹脂材からなり、図１１に示すように、直方体状に形成されている。操作部材１は直方体状に形成されたボタン部１ｃを有しており、ボタン部１ｃは第１ケース部材５の開口部５ｅに挿通可能な大きさに形成されている。また、操作部材１はボタン部１ｃの一方端側（Ｘ２方向側）の側面に、側方（Ｙ１−Ｙ２方向）へ突出し、板状に形成された鍔部１ｄを有する。操作部材１をボタン部１ｃの他方端側（Ｘ１方向側）から平面視したときに、鍔部１ｄは長方形状に形成され、四隅に上下方向（Ｚ１−Ｚ２方向）へ突出するように形成された、突出部１ａを有している。また、鍔部１ｄの外形形状は、第１ケース部材５の第１開口５ｂの外形形状に沿うように形成されており、突出部１ａの外形形状は、第１ケース部材５の突出形状部５ｄの外形形状に沿うように形成されている。また、操作部材１は、ボタン部１ｃの一方端側の端面に、一方へ突出して形成されたアクチュエータ部１ｂを有する。アクチュエータ部１ｂは、可動接点部材２を撓ませることが可能で、かつ第２ケース部材４を破損させない所定の荷重が加わったときに、潰れる（塑性変形する）程度の強度を備えている。
【００２５】
カバー部材６は金属板からなり、図１２に示すように、開口形状が長方形の筒状に形成されている。カバー部材６は、前方カバー部材７と後方カバー部材８とが係合され、一体化することで形成されている。
【００２６】
前方カバー部材７は金属板からなり、図１３に示すように、平板状に形成されている。前方カバー部材７は、図４に示すＸ１方向側からケース３を平面視したときに、空間部３ａを覆うことができる大きさの平板状に形成された板状部７ｄを有している。前方カバー部材７は、板状部７ｄの中央部に貫通穴７ａと、板状部７ｄの両端側（Ｙ１方向側およびＹ２方向側）に後方カバー部材８と係合される係合部７ｂとが設けられている。貫通穴７ａは操作部材１のボタン部１ｃが挿通可能な大きさに形成された貫通孔である。また、第１実施形態においては、係合部７ｂは貫通孔からなる係合穴部７ｃである。なお、係合穴部７ｃの開口形状は幅方向（Ｙ１−Ｙ２方向）における外方側が円弧形状となっている。すなわち、板状部７ｄのＹ１方向側に設けられた係合穴部７ｃにおいては、係合穴部７ｃの開口形状はＹ１方向側が円弧形状となっており、板状部７ｄのＹ２方向側に設けられた係合穴部７ｃにおいては、係合穴部７ｃの開口形状はＹ２方向側が円弧形状となっている。
【００２７】
後方カバー部材８は金属板からなり、図１４に示すように、Ｕ字形状に形成されている。後方カバー部材８は平板状に形成された基部８ａと、基部８ａの両端から前方側（Ｘ１方向側）にそれぞれ延出している腕部８ｂとを備えている。なお、腕部８ｂの先端部８ｃは、前方カバー部材７の係合穴部７ｃに挿入可能に形成されている。また、後方カバー部材８は、それぞれの腕部８ｂの下端部から幅方向（Ｙ１−Ｙ２方向）の外側へ突出した取付板部８ｄを有している。取付板部８ｄは、平板状に形成され、取付板部８ｄの突出方向端部の、前方側（Ｘ１方向側）には、下方へ突出するように形成された取付突起８ｅが形成されている。
【００２８】
このように形成された前方カバー部材７と後方カバー部材８とは、図１２に示すように、前方カバー部材７の係合部７ｂに後方カバー部材８の腕部８ｂがそれぞれ係合されて前方カバー部材７と後方カバー部材８とが一体化され、カバー部材６を形成している。すなわち、後方カバー部材８の腕部８ｂの先端部８ｃが、前方カバー部材７の係合部７ｂである係合穴部７ｃに挿入されて、内方側に折り曲げられて係合されることで、カバー部材６が形成される。
【００２９】
シート部材９は合成樹脂材のシート材からなり、図１に示すように、長方形状のシート状に形成され、屈曲性を有している。なお、シート部材９は、第２ケース部材４の第２空間部４ｂを覆うことができる大きさに形成されている。また、シート部材９は、一方の面（Ｘ２方向側の面）に粘着剤が全面に塗布された粘着面９ａを有する。
【００３０】
次にプッシュスイッチ１００の構造について図９および図１５を用いて説明する。図１５は図４（ｂ）に記載の断面線Ｃ−Ｃで切断した断面を示す模式断面図である。なお、説明を容易にするため、第２固定接点部４ｇの位置は実際の位置とは異なる。
【００３１】
図１５に示すように、可動接点部材２は第２ケース部材４の第２空間部４ｂ内に収容される。可動接点部材２は可動接点部２ａが前方（Ｘ１方向）へ突出する向きに配置され、一方（図１０に示すＺ２方向側）の常接接点部２ｃは第２空間部４ｂの最奥面４ｅに露出する第２固定接点部４ｇの接触部４ｈ（図６参照）と接触し、他方の常接接点部２ｃは、最奥面４ｅの第１固定接点部４ｆを挟んで第２固定接点部４ｇに対向する位置に周辺接触部４ｑと同じ高さとなるように突出している箇所（図６参照）に接触している。なお、可動接点部２ａは第１固定接点部４ｆとは離間している。シート部材９は、粘着面９ａが第２空間部４ｂに対向する向きで、可動接点部材２が配置された第２空間部４ｂを覆うように配置される。シート部材９は粘着面９ａの粘着力により第２ケース部材４の第２対向面４ｄに保持されるとともに、可動接点部材２を第２空間部４ｂ内に保持して、可動接点部材２と第２固定接点部４ｇとは常時接触される。シート部材９は屈曲性を有しているため、シート部材９を介して押圧された場合には、可動接点部材２の可動接点部２ａは第２空間部４ｂ内でも可動可能で、かつ中央接触部４ｎ（図６参照）と接触可能な位置に保持されている。操作部材１は、ボタン部１ｃを第１空間部５ａ側から開口部５ｅに挿通した状態で、第１ケース部材５の第１空間部５ａ内に保持される。なお、操作部材１は、その一部（突出部１ａ（図１１参照））が突出形状部５ｄ（図８参照）に配置されるとともに案内され、第１空間部５ａ内をスライド移動可能に保持されている。第１空間部５ａ内に操作部材１を保持した第１ケース部材５は、操作部材１のアクチュエータ部１ｂがシート部材９と対向する向きで、第２ケース部材４と係合する。すなわち、第１対向面５ｃと第２対向面４ｄとでシート部材９を挟み込み、第１空間部５ａと第２空間部４ｂとが、操作部材１及び可動接点部材２を収容する空間部３ａを形成するように係合する。このように第１ケース部材５と第２ケース部材４とを係合することで、操作部材１のアクチュエータ部１ｂと可動接点部材２の可動接点部２ａとはシート部材９を介して接触する。また、前方カバー部材７は、操作部材１のボタン部１ｃが貫通穴７ａから突出した状態で、空間部３ａを覆うように第１ケース部材５と係合している。また、後方カバー部材８は、基部８ａでケース３（第２ケース部材４）の後方側を覆うとともに、腕部８ｂを前方に延出させた状態で第２ケース部材４と係合している。また前方へ延出した腕部８ｂが、前方カバー部材７の係合部７ｂにそれぞれ係合されて前方カバー部材７と後方カバー部材８とが一体化され、カバー部材６が形成されている。なお、第１実施形態においては、係合部７ｂと腕部８ｂとの係合は、後方カバー部材８の腕部８ｂの先端部８ｃが、前方カバー部材７の係合穴部７ｃに挿入され、前方カバー部材７の前方側にて内方側に折り曲げられて係合することで行われている。このように、カバー部材６（図１２参照）が形成されることで、第１ケース部材５と第２ケース部材４とは、シート部材９を圧接挟持する。このようにして第１実施形態におけるプッシュスイッチ１００は構成される。プッシュスイッチ１００が形成されると、図９に示すように、突出形状部５ｄの一部と第２対向面４ｄの一部とが対向するように配置されている。したがって、突出形状部５ｄに沿って移動可能に配置される操作部材１の突出部１ａは、第２対向面４ｄに接触可能な位置に配置されている。ただし、操作部材１を介して可動接点部材２を押圧し、可動接点部２ａを固定接点部４ａ（第１固定接点部４ｆ）に接触させたときに、突出部１ａは第２対向面４ｄから離間している。また、第２開口４ｃの外形形状の長手辺と短手辺とが交差する箇所が突出形状部５ｄに対応した箇所に配置されているため、操作部材１の突出部１ａは、第２開口４ｃの外形形状の長手辺と短手辺とが交差する箇所で、第２対向面４ｄに接触可能な位置に配置されている。また、第２ケース部材４の第２対向面４ｄにおいて、操作部材１の突出部１ａが当接可能な位置は、横方向における第２固定接点部４ｇの接触部４ｈの外方側に位置している。なお、図９においては、シート部材９を図示していないが、実際には、第１ケース部材５の第１対向面５ｃと第２ケース部材４の第２対向面４ｄとの間にはシート部材９が挟まれている。
【００３２】
次にプッシュスイッチ１００の動作について図１５ないし図１７を用いて説明する。図１６は図１５に示す状態から押圧操作された後の状態を示す模式断面図である。図１７は第１実施形態におけるプッシュスイッチ１００がオーバーストロークになった状態を示す模式断面図である。
【００３３】
図１５に示す状態は、プッシュスイッチ１００が操作されていない初期状態を示している。図１５に示す状態においては、常接接点部２ｃは第２固定接点部４ｇと接触しているが、可動接点部２ａは第１固定接点部４ｆとは離間している。つまり、図１５に示す状態は、第１固定接点部４ｆと第２固定接点部４ｇとの電気的な導通は無い状態である。図１５に示す状態から、図１６に示すように、操作部材１を後方側（Ｘ２方向）へ押圧すると、シート部材９を介して可動接点部２ａに接触するアクチュエータ部１ｂは可動接点部２ａを後方側へ押圧する。押圧された可動接点部２ａは後方側へ撓んだ後に反転し、第１固定接点部４ｆに接触する。可動接点部２ａと第１固定接点部４ｆとが接触することで、第１固定接点部４ｆと第２固定接点部４ｇとは、可動接点部材２を介して電気的に導通される。また、操作部材１への押圧を解除すると、可動接点部２ａの弾性力により、図１５に示す初期状態に復帰し、第１固定接点部４ｆと第２固定接点部４ｇとの電気的な導通は無い状態となる。このように、可動接点部材２と第１固定接点部４ｆとが接離し、第１固定接点部４ｆと第２固定接点部４ｇとの電気的な導通状態を切り替えることで入力を行なうことができ、外部と電気的に接続可能な外部接続端子４ｒを介して入力信号として出力され、プッシュスイッチとして機能する。また、可動接点部２ａと第１固定接点部４ｆとが接触するとき、操作部材１の鍔部１ｄ（突出部１ａ（図１１参照））と第２ケース部材４の第２対向面４ｄとは離間している。しかし、操作者により操作部材１を必要以上の力で押し込み操作された場合や、プッシュスイッチ１００が取り付けられた電子機器などを誤って落下させ、操作部材１を押圧する方向に衝撃が加わった場合など、可動接点部２ａと第１固定接点部４ｆとが接触したあとにオーバーストロークになる場合もある。このようなオーバーストロークとなった場合には、図１７に示すように、操作部材１のアクチュエータ部１ｂが潰れるとともに、突出部１ａ（図１１参照）が第２ケース部材４の第２対向面４ｄに接触し、操作部材１がさらに後方へ押し込まれるのを阻止する。なお、図１７においては、アクチュエータ部１ｂがほとんどなくなるまで潰れるように図示しているが、実際には、アクチュエータ部１ｂの先端部が潰れる程度であり、アクチュエータ部１ｂの先端部が潰れた後であっても、プッシュスイッチ１００への入力操作は可能である。
【００３４】
以下、本実施形態としたことによる効果について説明する。なお、一部の効果の説明には図３または図１８を用いて説明する。図１８は図２に記載のＡ部を拡大して示す拡大図である。
【００３５】
本実施形態のプッシュスイッチ１００では、固定接点部４ａを有し、操作部材１及び可動接点部材２を収容する空間部３ａを備えるケース３と、空間部３ａを覆うカバー部材６と、を備えたプッシュスイッチにおいて、固定接点部４ａは空間部３ａの一面である最奥面４ｅに露出して形成されており、ケース３は最奥面４ｅの後方側に突出するように形成された本体部４ｋを有し、本体部４ｋには、後方側の端部から前方へ向かって一部切り欠かれた切り欠き部４ｍを有し、固定接点部４ａは、可動接点部材２と接離する第１固定接点部４ｆと、可動接点部材２と常時接触する第２固定接点部４ｇと、からなり、第１固定接点部４ｆは、可動接点部材２と接触する中央接触部４ｎと、中央接触部４ｎに連続して最奥面４ｅから露出するとともに、中央接触部４ｎの周囲へ延出された延出部４ｐと、を有し、中央接触部４ｎは、最奥面４ｅの本体部４ｋに対応した箇所に配置されている、構成とした。
【００３６】
これにより、最奥面４ｅの後方側で厚みのある本体部４ｋに対応した箇所に中央接触部４ｎを配置するとともに、中央接触部４ｎの周囲に延出する延出部４ｐを設けることで、押し込み操作されたときに、ケース３に厚みのある部分で受け止めるとともに、受け止める面積を広げることができる。したがって、単位面積当たりで受け止める荷重を小さくするとともに、荷重に対して強い部分で受けることができる。よって、押し込み耐性の高いプッシュスイッチを提供することができる、という効果を奏する。
【００３７】
また、本実施形態のプッシュスイッチ１００では、第２固定接点部４ｇの可動接点部材２と接触する周辺接触部４ｑは、最奥面４ｅの切り欠き部４ｍに対応した箇所に配置されている、構成とした。
【００３８】
これにより、周辺接触部４ｑを切り欠き部４ｍに対応した箇所に配置することで、本体部４ｋに対応した箇所を、押し込み操作時に最も負荷がかかる中央接触部４ｎおよび延出部４ｐに、より大きな面積を確実に割り当てることが可能となる。したがって、より押し込み耐性の高いプッシュスイッチを提供することができる、という効果を奏する。
【００３９】
また、本実施形態のプッシュスイッチ１００では、金属板からなりケース３にインサート成型された回路部材３０は、一端に固定接点部４ａを有するとともに、他端には、ケース３の後方側から露出して外部と電気的に接続可能な外部接続端子４ｒを有し、回路部材３０の固定接点部４ａと外部接続端子４ｒとの間には、上方からの平面視で、回路部材３０が延出する方向に対して交差する方向へ延出する許容部４ｓが形成され、許容部４ｓの幅寸法は、許容部４ｓを間に挟んだ箇所の幅寸法よりも小さい、構成とした。
【００４０】
プッシュスイッチ１００が電子機器などに取り付けられる場合には、プッシュスイッチ１００は、図３に示すような、切り欠きが設けられた基板ＣＢ１に取り付けられる。プッシュスイッチ１００は、基板ＣＢ１の切り欠き部分の端部と切り欠き部４ｍとが係合するとともに、外部接続端子４ｒおよびケース３の複数個所を基板ＣＢ１の上面に設けられたランドＬＮ１上に配置され、半田付けなどにより固定される。これにより、例えば、電子機器に搭載された状態で押し込み操作をされたとき、外部接続端子４ｒは電子機器に半田付けなどにより固定されているため、押し込み荷重は外部接続端子４ｒに加わることになる。外部接続端子４ｒと固定接点部４ａとの間に、前後の箇所より幅寸法が小さい許容部４ｓを設けることで、押し込み操作をされたときに、押し込みされた方向へ微少量ではあるが許容部４ｓが撓むことで、外部接続端子４ｒにかかる負荷を吸収し軽減することができる。したがって、押し込み操作により半田付けされた外部接続端子４ｒが外れるような不具合が発生し難くなる。よって、さらに押し込み耐性の高いプッシュスイッチを提供することができる、という効果を奏する。
【００４１】
また、本実施形態のプッシュスイッチ１００では、固定接点部４ａを有し、可動接点部材２を収容する第２空間部４ｂを備える第２ケース部材４と、第２ケース部材４と係合して、操作部材１を案内するようにその一部を収容する第１空間部５ａを備える第１ケース部材５と、からなるプッシュスイッチにおいて、第２ケース部材４は第２空間部４ｂが開口した第２開口４ｃのある第２対向面４ｄを有し、第１ケース部材５は第１空間部５ａが開口した第１開口５ｂのある第１対向面５ｃを有し、第２ケース部材４と第１ケース部材５とは、第２対向面４ｄと第１対向面５ｃとを対向させて係合され、第１開口５ｂの外形形状を第２開口４ｃの外形形状に重ねたとき、第１開口５ｂの外形形状は第２開口４ｃの外形形状からはみ出す突出形状部５ｄを有し、操作部材１は第１開口５ｂの外形形状に沿うように形成されて、突出形状部５ｄに配置される突出部１ａを有し、操作部材１を介して可動接点部材２を固定接点部４ａに接触させたときに、突出部１ａは第２対向面４ｄから離間している、構成とした。
【００４２】
これにより、第１開口５ｂの外形形状を第２開口４ｃの外形形状に重ねたとき、第１開口５ｂの外形形状は第２開口４ｃの外形形状からはみ出すように形成された突出形状部５ｄを有し、操作部材１は第１開口５ｂの外形形状に沿うように形成されており、突出形状部５ｄに配置される突出部１ａを有する構成とした。したがって、誤って操作部材１が無理押しされるなど、オーバーストロークとなったときに、操作部材１の突出部１ａを第２対向面４ｄに当接させることでストッパを構成して、過剰な押し込み時の耐性を向上させることができる。このような構造であれば、押圧操作された方向に可動接点部材２が配置された構造であっても、過剰なオーバーストロークを止めることができる。したがって、押圧操作された方向に可動接点部材２が配置され、過剰な押し込みに対応可能なプッシュスイッチを提供することができる、という効果を奏する。
【００４３】
また、本実施形態のプッシュスイッチ１００では、第２開口４ｃの外形形状は、長手辺が直線形状で、短手辺が円弧形状の長方形状であり、可動接点部材２は第２開口４ｃの外形形状に沿うように形成され、操作部材１の突出部１ａは、第２開口４ｃの外形形状の長手辺と短手辺とが交差する箇所で、第２対向面４ｄに接触可能に形成されている、構成とした。
【００４４】
これにより、第２開口４ｃの外形形状を、長手辺が直線形状で、短手辺が円弧形状の長方形状とし、短手辺と長手辺とが交差する位置で突出部１ａが第２対向面４ｄに接触可能とすることで、仮にオーバーストロークになった場合に、突出部１ａと第２対向面４ｄとの接触面積を大きくすることができる。すなわち、より大きな荷重が加わった場合にも、破損することなく操作部材１の移動を止めることができる。したがって、押圧操作された方向に可動接点部材２が配置され、過剰な押し込みに対応可能なプッシュスイッチを提供することができる、という効果を奏する。
【００４５】
また、本実施形態のプッシュスイッチ１００では、可動接点部材２は、ばね性を有する金属板から形成されており、操作部材１は、可動接点部材２を押圧するための合成樹脂材からなるアクチュエータ部１ｂを有し、アクチュエータ部１ｂは、可動接点部材２を撓ませることが可能で、かつ第２ケース部材４を破損させない所定の荷重が加わったときに、潰れる、構成とした。
【００４６】
これにより、可動接点部材２を撓ませることが可能で、かつ第２ケース部材４を破損させない所定の荷重が加わったときに、アクチュエータ部１ｂが潰れる構成としたことで、仮にオーバーストロークになった場合には、先ず、アクチュエータ部１ｂが潰れ、そのあとに突出部１ａと第２対向面４ｄが当接することになるため、第２ケース部材４に過剰な押圧付加が加わることによる、固定接点部４ａの周辺の破損を軽減することができる。また、アクチュエータ部１ｂは、オーバーストロークの移動量分であるわずかな量しか潰れないので、スイッチ機能が完全に喪失することは無い。したがって、押圧操作された方向に可動接点部材２が配置され、過剰な押し込みに対応可能なプッシュスイッチを提供することができる、という効果を奏する。
【００４７】
また、本実施形態のプッシュスイッチ１００では、固定接点部４ａは、第２空間部４ｂの第２開口４ｃに対向する側の面である最奥面４ｅに形成され、最奥面４ｅの中央部分に形成される第１固定接点部４ｆと、最奥面４ｅにおいて第２空間部４ｂの長手側の壁の近くに形成される第２固定接点部４ｇと、からなり、第１固定接点部４ｆおよび第２固定接点部４ｇは、可動接点部材２が接触する接触部４ｈを有しており、第２ケース部材４の第２対向面４ｄにおいて、操作部材１の突出部１ａが当接可能な位置は、横方向における第２固定接点部４ｇの接触部４ｈの外方側に位置している、構成とした。
【００４８】
これにより、横方向における第２固定接点部４ｇの接触部４ｈの外方側であれば、第２空間部４ｂの最奥面４ｅから固定接点部４ａが露出する箇所がなくなるので、第２空間部４ｂを設ける必要がなくなり、第２ケース部材４の側壁を厚くすることができる。したがって、第２ケース部材４の第２対向面４ｄにおいて、操作部材１の突出部１ａが当接可能な位置を、横方向における第２固定接点部４ｇの接触部４ｈの外方側とすることで、突出部１ａと第２対向面４ｄとの接触面積を大きくすることができる。よって、より大きな荷重が加わった場合にも、破損することなく操作部材１の移動を止めることができる、という効果を奏する。
【００４９】
本実施形態のプッシュスイッチ１００では、操作部材１と、可動接点部材２と、固定接点部４ａを有し、操作部材１および可動接点部材２を収容可能で前方側が開放された空間部３ａを備えるケース３と、空間部３ａを覆う前方カバー部材７と、ケース３の後方側を覆う基部８ａと、基部８ａの両端から前方側にそれぞれ延出している腕部８ｂとを備える後方カバー部材８と、を有するプッシュスイッチにおいて、前方カバー部材７には、操作部材１が突出する貫通穴７ａと、両端側に後方カバー部材８の腕部８ｂと係合される係合部７ｂとが設けられており、前方カバー部材７の係合部７ｂに後方カバー部材８の腕部８ｂがそれぞれ係合されて前方カバー部材７と後方カバー部材８とが一体化されている、構成とした。
【００５０】
これにより、後方カバー部材８の基部８ａがケース３の後方側を覆う、すなわちケース３の後方側には後方カバー部材８が分断された箇所が無いとともに、２つの腕部８ｂを前方カバー部材７と係合させて一体化させる構成とした。これにより、押圧されて後方カバー部材８の分断された箇所が広がることはないので、先行技術に比べて前方側からの押し込み強度を向上させることができる。よって、基板取り付け後に前方側からの押圧操作に対する耐性のある横押しタイプのプッシュスイッチを提供することができる、という効果を奏する。
【００５１】
また、本実施形態のプッシュスイッチ１００では、係合部７ｂが貫通孔からなる係合穴部７ｃであり、後方カバー部材８の腕部８ｂが係合穴部７ｃに挿入され、前方カバー部材７の前方側にて内方側に折り曲げられて係合している、構成とした。
【００５２】
これにより、係合部７ｂを貫通孔からなる係合穴部７ｃとすることで、係合部７ｂを簡易に構成することができる。また、後方カバー部材８の腕部８ｂが係合穴部７ｃに挿入され、折り曲げることで係合する構成とすることで、前方カバー部材７と後方カバー部材８とを十分な保持力で係合することができる。したがって、簡易な構成で、前方カバー部材７と後方カバー部材８とを十分な保持力で係合することができる、という効果を奏する。
【００５３】
また、本実施形態のプッシュスイッチ１００では、前方カバー部材７の係合穴部７ｃの開口形状は幅方向における外方側が円弧形状となっており、後方カバー部材８の腕部８ｂの先端部８ｃは係合穴部７ｃに挿入可能に形成されており、係合穴部７ｃに挿入されて、内方側に折り曲げられて係合されている、構成とした。
【００５４】
これにより、係合穴部７ｃの開口形状を、幅方向における外方側が円弧形状とすることで、幅方向における外方側においては上下方向の寸法が内方側よりも小さくなる。係合穴部７ｃと腕部８ｂとを係合するために、腕部８ｂの先端部８ｃを内方側に折り曲げたときに、腕部８ｂが係合穴部７ｃの幅方向における外方側へ広がりやすい。仮に広がったとしても、図１８に破線で示すように、腕部８ｂが係合穴部７ｃの幅方向における外方側（図１８においてはＹ１方向側）の円弧形状の面に接触し、外方側へ広がることなく、腕部８ｂは内方側へ寄せられる。したがって、前方カバー部材７と後方カバー部材８とをガタのない状態で固定することができ、外れにくい強固な係合とすることができる、という効果を奏する。
【００５５】
以上のように、本発明の実施形態に係るプッシュスイッチを具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００５６】
第１実施形態においては、可動接点部材２を１枚用いる構成としたが、収納可能な範囲で仕様に合わせて用いる枚数を変更しても良い。例えば、可動接点部材２の使用枚数を１枚から２枚に増やすことで、操作感触の変更を行うことができるとともに、プッシュスイッチ１００の動作寿命を向上させることができる。
【００５７】
第１実施形態において、第１実施形態においては、係合部７ｂ（係合穴部７ｃ）は幅方向の外方側が円弧状の長方形状に形成されているが、係合部７ｂの形状が、凹形状や、幅方向の外方側が短辺である台形形状の穴などであっても良い。
【００５８】
第１実施形態において、係合部７ｂと腕部８ｂとの係合箇所を幅方向の両側に設けたが、上下方向の両側に設けても良い。また、可能であれば、その際に上側の係合箇所を２箇所にするなど係合箇所を増やしても良い。
【００５９】
本実施形態において、係合部７ｂと腕部８ｂとの係合箇所を幅方向の両側に設けたが、幅方向の両側だけでなく、同時に上下方向の両側にも係合箇所を設けるなどして係合箇所を増やしても良い。
【符号の説明】
【００６０】
１    操作部材
１ａ  突出部
１ｂ  アクチュエータ部
１ｃ  ボタン部
１ｄ  鍔部
２    可動接点部材
２ａ  可動接点部
２ｂ  スリット
２ｃ  常接接点部
２ｄ  連結部
２ｅ  頂部
３    ケース
３ａ  空間部
４    第２ケース部材
４ａ  固定接点部
４ｂ  第２空間部
４ｃ  第２開口
４ｄ  第２対向面
４ｅ  最奥面
４ｆ  第１固定接点部
４ｇ  第２固定接点部
４ｈ  接触部
４ｋ  本体部
４ｍ  切り欠き部
４ｎ  中央接触部
４ｐ  延出部
４ｑ  周辺接触部
４ｒ  外部接続端子
４ｓ  許容部
５    第１ケース部材
５ａ  第１空間部
５ｂ  第１開口
５ｃ  第１対向面
５ｄ  突出形状部
５ｅ  開口部
６    カバー部材
７    前方カバー部材
７ａ  貫通穴
７ｂ  係合部
７ｃ  係合穴部
７ｄ  板状部
８    後方カバー部材
８ａ  基部
８ｂ  腕部
８ｃ  先端部
８ｄ  取付板部
８ｅ  取付突起
９    シート部材
９ａ  粘着面
３０    回路部材
１００  プッシュスイッチ
ＣＢ１    基板
ＬＮ１    ランド
【図１】
0005958976.tif 000002
【図２】
0005958976.tif 000003
【図３】
0005958976.tif 000004
【図４】
0005958976.tif 000005
【図５】
0005958976.tif 000006
【図６】
0005958976.tif 000007
【図７】
0005958976.tif 000008
【図８】
0005958976.tif 000009
【図９】
0005958976.tif 000010
【図１０】
0005958976.tif 000011
【図１１】
0005958976.tif 000012
【図１２】
0005958976.tif 000013
【図１３】
0005958976.tif 000014
【図１４】
0005958976.tif 000015
【図１５】
0005958976.tif 000016
【図１６】
0005958976.tif 000017
【図１７】
0005958976.tif 000018
【図１８】
0005958976.tif 000019
【図１９】
0005958976.tif 000020